(57)【要約】【課題】金属セルにコンベヤベルトを巻き取る際に、巻き始めの部分に不要な跡を残すことなく、円滑に巻き取ることができるコンベヤベルトの巻取り方法を提供する。【解決手段】シート供給ドラム３から供給されたコンベヤベルト幅以上の幅を有する巻き始めシートＳの先端部を、金属セル１に仮止め手段５により仮止めして１周以上巻付けて巻付け固定した後、金属セル１とシート供給ドラム３との間に張設されている巻き始めシートＳの上にコンベヤベルトＢを載置して、この巻き始めシートＳと金属セル１とで挟むようにコンベヤベルトＢを所定長さ金属セル１に巻付た後、金属セル１に巻付けられる前の巻き始めシートＳを切断し、以後、コンベヤベルトＢのみを金属セル１に巻付ける。【選択図】    図３
2009298568.tif 000002
【特許請求の範囲】
【請求項１】
コンベヤベルトを金属セルに巻付けて梱包するコンベヤベルトの巻取り方法において、シート供給ドラムから供給されたコンベヤベルト幅以上の幅を有する巻き始めシートの先端部を、金属セルの外周面に仮止めして１周以上巻付けて巻付け固定した後、金属セルとシート供給ドラムとの間に張設されている巻き始めシートの上にコンベヤベルトを載置して、この巻き始めシートと金属セルとで挟むようにコンベヤベルトを所定長さ金属セルに巻付た後、金属セルに巻付けられる前の巻き始めシートを切断し、以後、コンベヤベルトのみを金属セルに巻付けるようにしたコンベヤベルトの巻取り方法。
【請求項２】
前記巻き始めシートとして、厚さが０．１ｍｍ以上３．０ｍｍ以下のゴム引き布シートまたは樹脂シートを用いる請求項１に記載のコンベヤベルトの巻取り方法。
【請求項３】
前記巻き始めシートの先端部を、金属セルに仮止めする際に、粘着テープを用いる請求項１または２に記載のコンベヤベルトの巻取り方法。
【発明の詳細な説明】
【技術分野】
【０００１】
本発明は、コンベヤベルトの巻取り方法に関し、さらに詳しくは、金属セルにコンベヤベルトを巻き取る際に、巻き始めの部分に不要な跡を残すことなく、円滑に巻き取ることができるコンベヤベルトの巻取り方法に関するものである。
【背景技術】
【０００２】
コンベヤベルトは、一般に製造後に、その巻心としてセルに巻付けて梱包され、直接、或いは一時保管された後に施工現場に搬送される。このコンベヤベルトをセルに巻取る方法は、種々提案されている（例えば、特許文献１参照）。従来、金属セルにコンベヤベルトを巻付ける際には、図７、図８に例示するように、金属セル１に巻取り用紐６の一方端部を巻付けて、他方端部をコンベヤベルトＢの巻取り始めとなる先端部に取付けるようにしていた。そして、金属セル１を回転させることにより、巻取り用紐６に続いてコンベヤベルトＢを金属セル１に巻付けて巻取るようにしていた。
【０００３】
しかしながら、コンベヤベルトＢを巻付ける際に、金属セル１には既に巻取り用紐６が何重にも巻付けられて金属セル１の外周面から突出した状態になっている。そのため、コンベヤベルトＢを金属セル１から繰り出して開梱した際に、コンベヤベルトＢの巻き始めの部分には、金属セル１の外周面から突出している巻取り用紐６によって形成された凹凸跡が残っていた。元々、コンベヤベルトＢは余長を含んで巻き取られるが、このような不要な凹凸跡は、外観品質として好ましいものではなく、また、余長分が無駄になるという問題があった。
【０００４】
木製セルの場合であれば、コンベヤベルトの先端部に直接、固定金具を打ち込んでコンベヤベルトから固定金具を突出させないようにしてコンベヤベルトをセルの外周面に固定することができるが、金属セルでは、固定金具等を打ち込むことができないため、木製セルのような固定方法を採用することもできなかった。
【特許文献１】特開２００７−１６０５号公報
【発明の開示】
【発明が解決しようとする課題】
【０００５】
本発明の目的は、金属セルにコンベヤベルトを巻き取る際に、巻き始めの部分に不要な跡を残すことなく、円滑に巻き取ることができるコンベヤベルトの巻取り方法を提供することにある。
【課題を解決するための手段】
【０００６】
上記目的を達成するため本発明のコンベヤベルトの巻取り方法は、コンベヤベルトを金属セルに巻付けて梱包するコンベヤベルトの巻取り方法において、シート供給ドラムから供給されたコンベヤベルト幅以上の幅を有する巻き始めシートの先端部を、金属セルの外周面に仮止めして１周以上巻付けて巻付け固定した後、金属セルとシート供給ドラムとの間に張設されている巻き始めシートの上にコンベヤベルトを載置して、この巻き始めシートと金属セルとで挟むようにコンベヤベルトを所定長さ金属セルに巻付た後、金属セルに巻付けられる前の巻き始めシートを切断し、以後、コンベヤベルトのみを金属セルに巻付けるようにしたことを特徴とするものである。
【０００７】
ここで、前記巻き始めシートとして、例えば、厚さが０．１ｍｍ以上３．０ｍｍ以下のゴム引き布シートまたは樹脂シートを用いる。また、前記巻き始めシートの先端部を、金属セルに仮止めする際に、例えば、粘着テープを用いる。
【発明の効果】
【０００８】
本発明によれば、シート供給ドラムから供給されたコンベヤベルト幅以上の幅を有する巻き始めシートの先端部を、金属セルの外周面に仮止めして１周以上巻付けて巻付け固定することにより、巻き始めシートが、コンベヤベルトを巻付ける際に、金属セルの外周面から局部的に大きく突出した状態になることがない。その後、金属セルとシート供給ドラムとの間に張設されている巻き始めシートの上にコンベヤベルトを載置して、この巻き始めシートと金属セルとで挟むようにコンベヤベルトを所定長さ金属セルに巻付た後、金属セルに巻付けられる前の巻き始めシートを切断し、以後、コンベヤベルトのみを金属セルに巻付けるので、コンベヤベルトの巻き始めの部分に不要な跡が残ることがなく、円滑に巻き取ることができる。
【発明を実施するための最良の形態】
【０００９】
以下、本発明のコンベヤベルトの巻取り方法を図に示した実施形態に基づいて説明する。
【００１０】
本発明では、図１、図２に例示するような金属セル１に供給源から供給されるコンベヤベルトＢを巻付けて梱包する。金属セル１は鋼等の金属製の中空円筒体であり、支持台に回転可能に支持されて、モータ等の駆動によって回転する構造になっている。この実施形態では、金属セル１が単純な円筒体になっているが、筒軸方向両端部にフランジ部を有する金属セル１を用いることもできる。
【００１１】
コンベヤベルトＢの供給方向上流側となる金属セル１の一方側（図１、図２では右側）には、シート供給ドラム３が回転可能に軸支されている。このシート供給ドラム３には、コンベヤベルトＢを金属セル１に巻き始める際に用いる巻き始めシートＳが巻回されている。巻き始めシートＳは、巻取るコンベヤベルトＢの幅以上の幅を有している。また、金属セル１は、巻き始めシートＳの幅以上の幅を有している。
【００１２】
巻き始めシートＳの材質としては、例えば、ゴム引き布シートや樹脂シート（ポリエチレンシート、ポリプロピレンシート等）を例示できる。巻き始めシートＳの厚さは、金属セル１への巻付け抵抗および巻付けた際の外径の増加を抑制しつつ、必要な強度を確保するために、例えば、０．１ｍｍ以上３．０ｍｍ以下に設定する。
【００１３】
金属セル１の一方側のシート供給ドラム３の上方位置には、支持ローラ２が配置されている。また、シート供給ドラム３と支持ローラ２との間には切断装置４が設けられている。
【００１４】
供給されてくるコンベヤベルトＢを金属セル１に巻付ける際には、まず、図１、図２に例示するように、支持ローラ２上に巻付けるようにシート供給ドラム３から巻き始めシートＳを繰り出す。次いで、繰り出した巻き始めシートＳの先端部を、金属セル１の外周面に仮止め手段５により仮止めする。仮止め手段５は、巻き始めシートＳを金属セル１の外周面に仮止めした際に、金属セル１の半径方向への突出量（例えば、５ｍｍ以下）が少ない手段であればよく、例えば、粘着テープやこれに類する手段を例示することができる。
【００１５】
次いで、図３に例示するように、金属セル１を回転させて巻き始めシートＳを金属セル１の外周面に１周以上巻きつけて巻付け固定する。例えば、巻き始めシートＳを、金属セル１に２周〜４周程度巻付け、この巻付けによって巻き始めシートＳの先端部を金属セル１に確実に固定する。
【００１６】
次いで、金属セル１とシート供給ドラム３との間に支持ローラ２を介在させて張設されている巻き始めシートＳの上に、コンベヤベルトＢの先端部を載置する。載置したコンベヤベルトＢがずれ易い場合には、コンベヤベルトＢの表面から突出しない、或いは突出量が微小であるずれ防止手段によって巻き始めシートＳに固定する。
【００１７】
図４に例示するように支持ローラ２を省略して、巻き始めシートＳをシート供給ドラム３から直接、金属セル１に供給するようにすることもできる。そして、金属セル１とシート供給ドラム３との間に張設されている巻き始めシートＳの上に、コンベヤベルトＢの先端部を載置することもできる。
【００１８】
次いで、この状態のまま、図５に例示するように金属セル１を回転させて、コンベヤベルトＢを載置している巻き始めシートＳと金属セル１とで挟むようにコンベヤベルトＢを所定長さだけ金属セル１に巻付ける。このコンベヤベルトＢの所定長さとは、例えば、金属セル１に１周以上２周以下巻付ける程度の長さをいう。コンベヤベルトＢを所定長さだけ金属セル１に巻付けた後は、切断装置４によって金属セル１に巻付けられる前の巻き始めシートＳを切断する。
【００１９】
次いで、図６に例示するように、以後はコンベヤベルトＢだけを金属セル１に巻付けてゆき、巻取り作業が完了する。
【００２０】
本発明では、上記のように巻き始めシートＳを用いることにより、コンベヤベルトＢを巻付ける際に、巻き始めシートＳが金属セル１の外周面から局部的に大きく突出した状態になることがないので、コンベヤベルトＢを金属セル１から繰り出して開梱した際に、コンベヤベルトＢの巻き始めの部分に不要な凹凸跡が残ることがない。それ故、外観品質の低下を防止でき、余長を無駄にすることもない。
【００２１】
また、コンベヤベルトＢの幅以上の幅を有する巻き始めシートＳに載置して巻き始めを行なうので、安定してコンベヤベルトＢを支持することができ、円滑に金属セル１に巻付けることが可能になる。
【図面の簡単な説明】
【００２２】
【図１】本発明のコンベヤベルトの巻取り方法において、巻き始めシートを仮止めする工程を例示する側面図である。
【図２】図１の平面図である。
【図３】巻付け固定した巻き始めシート上にコンベヤベルトを載置する工程を例示する側面図である。
【図４】図３のシート供給ドラムの配置を変更した変形例を示す側面図である。
【図５】巻き始めシートを切断する工程を例示する側面図である。
【図６】コンベヤベルトのみを巻付ける工程を例示する側面図である。
【図７】コンベヤベルトの従来の巻取り方法を例示する側面図である。
【図８】図７の平面図である。
【符号の説明】
【００２３】
１  金属セル
２  支持ローラ
３  シート供給ドラム
４  切断装置
５  仮止め手段
６  巻取り用紐
Ｂ  コンベヤベルト
Ｓ  巻き始めシート
【図１】
2009298568.tif 000003
【図２】
2009298568.tif 000004
【図３】
2009298568.tif 000005
【図４】
2009298568.tif 000006
【図５】
2009298568.tif 000007
【図６】
2009298568.tif 000008
【図７】
2009298568.tif 000009
【図８】
2009298568.tif 000010